(57)【特許請求の範囲】
【請求項１】
表面の中央部に折曲線４を有する硬質材の蓋１と、その蓋１の表面に周縁部を固着された折曲線４の両側にポケット部６、６’を形成する可撓性部材の容器体５とからなり、蓋１の折曲線４の裏側にそれぞれポケット部６、６’から別々に通ずる連通部７、７’を形成し、一方のポケット部６は他のポケット部６’又はその連通部７’とも連通しない構造としてあり、かつ一側の連通部７’と通ずるポケット部６’は折曲線４の片側のみに形成するとともに他側連通部７と通ずるポケット部６は折曲線４を介してその両側に形成してあり、該ポケット部６の一部は折曲線４の片側のみに形成するポケット部６’と蓋折り曲げによってポケット部同士が衝接可能な位置まで屈曲され拡張形成してあり、それぞれのポケット部６、６’に収納された内容物が２つのポケット部６、６’間を自由に移動せずに、折り曲げ線を中心にＶ字形に折り曲げるとその両側に形成してあるポケット部６は互いに接触し、圧接され内容物Ａが連通部７を経て抽出され、引き続き蓋の折り曲げを進行させ、蓋間の接近角度（狭角）をより狭めることにより、片側のみに形成するポケット部６’と屈曲形成してあるポケット部６が衝接し、内容物Ｂが連通部７’を経て抽出され、それぞれのポケット部６、６’の内容物を時間差をつけて所望の量を抽出できる構造としてあることを特徴とする分配包装体。
【発明の詳細な説明】
【０００１】
【発明の属する技術分野】
本発明は調味料や飲料等の飲食品、化粧品或いは薬品等の、液状、ペースト状、粉状、顆粒状、或いは粒状の内容物を包装した分配包装体に関する。
更に詳しくは、これ等内容物の一種以上のものを各別のポケット部に収容してある分配包装体であって、包装体に収容してある間は内容物同士が互いに混じり合うことがなく、この包装体を片手の指でつまんで操作することにより、その中に使用目的に合わせて収容してある各内容物（バターと蜂蜜、ケチャップとマスタード、ジャムとマーマレード、ジャムとバター、納豆とたれ、ビネガーと食用オイル、コーヒーとクリーム、シャンプーとリンス、粉末洗剤と粉末漂白剤等）を用途状況に合わせて、それぞれの所望量を同時に或いは時間差をつけて容易に抽出することができる構造の分配包装体に関する。
【０００２】
【従来の技術】
従来、指でつまんで操作することにより、内容物を簡単に抽出できる小型の分配包装体が提案されている。
例えば、特開昭６３−１６２４６０号公報や実公平３−１４１９号公報等に開示の包装体がそれである。すなわち、これ等はいずれも、比較的堅固で平坦なシート状の蓋の裏面に可撓性を有する容器体の周縁部を固着してポケット部を形成し、このポケット部の中に内容物を封入すると共に、蓋の裏面中央を通る軸線を、該蓋を折り曲げ易いようにするために、ミシン目や蓋材の厚さの半分程に切れ目（ハーフカット）等を施した折曲線を設け、さらに内容物の抽出を容易にするために該軸線の中心にはピラミッド状或いは円錐台状等の突起を形成した構造としてある。
【０００３】
使用に際しては、該包装体を指間に挟み、その蓋の上記軸線を中心として該ポケット部の両側を圧するように蓋をＶ字型に折曲し、この蓋の折曲線上に設けた突起等の破壊開口部から内容物を抽出するものである。
【０００４】
尚、特開昭６３−１６２４６０号公報に記載の包装体は、蓋中央の折曲線上の２カ所の部分に開口可能な突起部を設けてあり、該折曲線を挟んで４個のポケット部を２個づつ相対向して形成してあるが、相対向するポケット部同士は、折曲線上の上記突起部の下方に設けた「接続壁」（連通部）を介して互いに連通する構造としてあり、その互いのポケット部の形状はほぼ同容積の相似形状としてある。
【０００５】
また、実公平３−１４１９号公報記載の包装体は、蓋中央の折曲線上に２カ所の開口可能な突起部を設けてあり、該折曲線をはさんで２個のポケット部を相対向して形成してあるが、夫々のポケット部は上記２カ所の突起部の下方にそれぞれ設けた連通部の異なった方へ連通する構造としてある。
【０００６】
【発明が解決しようとする課題】
しかしながら、これ等従来の包装体は、４個のポケット部２個のポケット部のいずれのポケット部を有する構造とした場合でも、包装体に収容してある間は互いに混じり合うことがないという点で評価できるものの、使用に際して、蓋をＶ字型に折曲げると、内容物は殆どの場合同時に、同分量程抽出されてしまうものである。
【０００７】
従って、内容物の種類によって、抽出量が少なくてよい物、好みにより抽出したくない物、同時に抽出しては困る物、一方の物を使用後に他方の内容物を使用に供したい場合等に自在に内容物を選択して抽出できないという問題点があった。
【０００８】
本発明の目的は、このような問題点を解消し、各ポケット部に別々に収容してある異種の内容物を使用前には混合させないことは無論のこと、使用時にはワンタッチ操作で同時にでも、時間差をつけてでも内容物を別々の取り出し口から抽出したり、これを止めたり或いは抽出量の加減調節を自在にできるようにした分配包装体の構造を提供しようとするものである。
【０００９】
【課題を解決するための手段】
本発明は上記目的を達成するために、表面の中央部に折曲線４を有する硬質材の蓋１と、その蓋１の表面に周縁部を固着された折曲線４の両側にポケット部６、６’を形成する可撓性部材の容器体５とからなり、蓋１の折曲線４の裏側にそれぞれポケット部６、６’から別々に通ずる連通部７、７’を形成し、一方のポケット部６は他のポケット部６’又はその連通部７’とも連通しない構造としてあり、かつ一側の連通部７’と通ずるポケット部６’は折曲線４の片側のみに形成するとともに他側連通部７と通ずるポケット部６は折曲線４を介してその両側に形成してあり、該ポケット部６の一部は折曲線４の片側のみに形成するポケット部６’と蓋折り曲げによってポケット部同士が衝接可能な位置まで屈曲され拡張形成してあり、それぞれのポケット部６、６’に収納された内容物が２つのポケット部６、６’間を自由に移動せずに、折り曲げ線を中心にＶ字形に折り曲げるとその両側に形成してあるポケット部６は互いに接触し、圧接され内容物Ａが連通部７を経て抽出され、引き続き蓋の折り曲げを進行させ、蓋間の接近角度（狭角）をより狭めることにより、片側のみに形成するポケット部６’と屈曲形成してあるポケット部６が衝接し、内容物Ｂが連通部７’を経て抽出され、それぞれのポケット部６、６’の内容物を時間差をつけて所望の量を抽出できる構造としてある分配包装体である。
【００１０】
【発明の実施の形態】
以下、本発明を図面に基づき実施例をもって説明する。
図１は本発明に係わる分配包装体の一実施例Ｑを示したもので、図１は、その外観形状を、図２と図３はその内部構造を、また、図４はその使用状態を表し、図５は図１の平面図をそれぞれ表している。
【００１１】
図に於いて、１は合成樹脂（例えばポリエチレン、ポリエチレンテレフタレート、塩化ビニール、或いはポリスチレン共重合体）等の折曲げることができる程度の硬質材からなる蓋であり、この蓋１の表面には、略ピラミッド形状の２つの突起１ａ、１ａが蓋１の裏側を凹ませて設けられており、この２つの突起１ａ、１ａは、蓋１上の中央の軸線上にハーフカットを施して設けられた折曲線４とそれぞれ１カ所（好ましくは突起１ａ、１ａの尖端部３、３）で交差し、蓋１を折曲線４に沿って折り曲げるといずれも容易に突起１ａ、１ａで破断し、その尖端部３、３が開口部を形成するように設けられている。
【００１２】
また５は、その周縁部を蓋１の裏面に固着させ固着域２としたポリエチレン或いはアルミ箔等の可撓性のあるシート部材からなる容器体であって、容器体５は図１に図示のように蓋１の裏面にその周縁部を固着された周縁固着域と折曲線４の両側に設けられた中央固着域とで、蓋１の折曲線４を介して２つの容量の異なるポケット部６、６’を形成させるように容器体５の底部を膨らませて形成してある。また、容器体５は、その容量の異なるポケット部６、６’を形成する際に、蓋１の折曲線４の裏面の互いに隔てられた別異の部分へそれぞれのポケット部６、６’から別々に通ずる連通部７、７’を形成してあり、一側の連通部７’と通ずるポケット部６’は折曲線４の片側のみに容積を小にして膨らみ形成してある。また、他側連通部７と通ずるポケット部６は折曲線４を介してその両側にポケット部６’の容積より大になるように形成してある。すなわち、折曲線４に沿った区域に於いて、連通部７、７’を未固着域として残してあるほかは折曲線４の両側で蓋１の裏面と容器体５の上面とを全て固着して固着域２を形成してある。
【００１３】
尚、本実施例では、折曲線４の片側のみに形成してあるポケット部６’の連通部７’は図３に示すようにポケット部６’の一部分を折曲線４をやや越えた位置まで伸ばして形成してあり、その伸ばした端の周縁を蓋１の裏面に固着してある。また、折曲線４を介してその両側に形成してある大容量の内容物を充填するポケット部６は折曲線４の下方に形成した連通部７を除き、折曲線の両側にわたり形成したポケット部６の上面周縁を蓋１の裏面に固着してある。そして、本実施例の分配包装袋Ｑの一方のポケット部６は、他方のポケット部６’又はその連通部７’とも一切連通せず、他方のポケット部６’に大して隔絶して内容物を収容できる構造のものとしてある。
【００１４】
そして、本実施例では、蓋１の表面の折曲線４上の連通部７、７’と交差する部分を上方に突出させそれぞれ突起１ａ、１ａとして形成してある。この突起１ａ、１ａにも折曲線４にそって切り込み（ハーフカット）を入れ蓋１の折曲線により破断しやすいように形成してある。このような構造からなる分配包装対Ｑのポケット部６、６’には適宜の方法により、ペースト状内容物Ａ、Ｂをそれぞれ封入しておく。
【００１５】
分配包装体Ｑは、以上の構成からなるので、使用前にあっては、ポケット部６、６’に収容してある内容物Ａ、Ｂは蓋１の裏面と容器体５の上面とを全て固着した固着域２の部分で完全に密封されているので、２つのポケット部６、６’間を自由に移動することがない。そこで使用に際しては、蓋１の両端を折曲線４を中心として指でつまみ、ポケット部６、６’を互いに引き寄せるようにＶ字形に折曲げると、まず、折曲線４を介してその両側に形成してあるポケット部６は互いに接触し、圧接され内容物Ａに大きな負荷がかけられることになる。この内圧力はハーフカットを施された折曲線４上の突起１ａの尖端部３にそのまま直接付与されるとともに蓋１は尖端部３から破断し、その破断され開口した尖端部３から内容物Ａが連通部７を経て抽出される。
【００１６】
引き続き蓋１の折曲を進行させ蓋１間の接近角度（狭角）をより狭めることにより、やがてポケット部６’とポケット部の一部を屈曲形成してあるポケット部６又は蓋１とが互いに衝接し、ポケット部６’は圧接され内容物Ｂにも負荷がかけられることになり、前段階の折曲げにより破断開口した連通部７’側の突起１ａの尖端部３から抽出される。この際、蓋１の折曲操作を途中で停めることのにより、内容物Ｂの抽出を止めたり、或いはその抽出分量を少なく調整することも可能とされている。
【００１７】
【発明の効果】
以上、詳説したように、本発明に係わる分配包装体は、それぞれのポケット部に収容された内容物がポケット部間を自由に移動する構造ではなく、かつそれぞれのポケット部の内容物を時間差をつけて所望の量を抽出できる構造としてあるので、同じ用途で両方を一緒に使用する内容物であって、混じり合うと品質の低下を生じやすい異種の内容物を同一の包装体の中に隔離して封入することができるとともに一方の内容物が極端に少量の物であっても適宜これに対応し収容し抽出できる。従って、製する際には不必要に過剰の充填量とした製品もなくなり、使用に際しては好みの内容物を好きなだけ抽出し用いればよいので、飲食品、化粧品、薬品等の抽出使用する様々な製品の分野で経済的に活用できる。
【図面の簡単な説明】
【図１】本発明に係わる分配包装体の一実施例を示す斜視図
【図２】図１のＹ−Ｙ線切断断面図
【図３】図１のＹ’−Ｙ’線切断断面図
【図４】使用状態を示す斜視図
【図５】同実施例の平面図
【符号の説明】
Ｑ．分配包装体
１. 蓋
1a．突起
２．固着域
３．尖端部
４．折曲線
５．容器体
６. ポケット部
6'．ポケット部
７．連通部
7'．連通部
Ａ．内容物
Ｂ．内容物
【図１】
0003990493.tif 000002
【図２】
0003990493.tif 000003
【図３】
0003990493.tif 000004
【図４】
0003990493.tif 000005
【図５】
0003990493.tif 000006